(57)【要約】【課題】撮影の際に液晶パネルに保存先のディレクトリを表示して、保存先を確認しながら撮影するとともに、撮影条件をサンプル画像と同じ撮影条件に自動設定することができる撮像装置を提供することを目的とする。【解決手段】撮像手段と、表示手段と、不揮発性メモリと、記録媒体に記録する記録手段とを有する撮像装置において、前記不揮発性メモリもしくは前記記録媒体に、予めサンプル画像と前記サンプル画像に関連づけるためのテーブルを保存することで、再生時には前記不揮発性メモリもしくは前記記録媒体のサンプル画像を前記表示手段に表示するとともに、撮影時に前記サンプル画像と関連付けて、撮影した画像を保存する。【選択図】      図４
2004193981.tif 000002
【特許請求の範囲】
【請求項１】
撮像手段と、表示手段と、不揮発性メモリと、記録媒体に記録する記録手段とを有する撮像装置において、
前記不揮発性メモリもしくは前記記録媒体に、予めサンプル画像と前記サンプル画像に関連付けるためのテーブルを保存することで、再生時には前記不揮発性メモリもしくは前記記録媒体のサンプル画像を前記表示手段に表示すると共に、撮影時に前記サンプル画像と関連付けて、撮影した画像を保存できることを特徴とする撮像装置。
【請求項２】
再生時に前記表示手段に表示したサンプル画像が、撮影時に前記表示手段の一部に表示されることを特徴とする請求項１に記載の撮像装置。
【請求項３】
再生時に前記表示手段に表示したサンプル画像が、撮影時に前記表示手段の一部に表示されるとともに、撮影条件を前記サンプル画像と関連付けられている撮影条件に合わせて自動的に変更する撮影条件変更手段を有することを特徴とする請求項１に記載の撮像装置。
【請求項４】
前記サンプル画像と前記テーブルの保存先である前記不揮発性メモリまたは前記記録媒体に対して、どちらを優先してアクセスするか優先選択設定可能であることを特徴とする請求項１に記載の撮像装置。
【発明の詳細な説明】
【０００１】
【発明の属する技術分野】
本発明は撮像素子、液晶パネル、及び記録部を備えた撮像装置の撮影、再生、または画像の保存に関するものである。詳しくは、デジタルスチルカメラ（以下、「デジカメ」と呼ぶ）の撮影、再生、または画像の保存に関するものである。
【０００２】
【従来の技術】
近年、３５ミリフィルムカメラを凌駕する勢いでその市場を延ばしているデジカメの特徴は、撮影した画像をその場で液晶パネルに表示、確認して、必要なければ消去できるその即応性と言える。言い換えれば、常に整理をしながら撮影が行えることが特徴的である。
【０００３】
さらに、中には撮影する前に記録媒体中のどのディレクトリに保存するかを予め決めておくことの出来るデジカメもあり、撮影する前から画像の整理ができるものもある。
【０００４】
【発明が解決しようとする課題】
しかしながら、保存先のディレクトリを予め決めておいても、いざ撮影しようとした際に、保存先を忘れてしまい改めて設定しなおすという問題点があった。
【０００５】
また、画像の整理とは別に、従来、予め不揮発性メモリまたは記録媒体に保存してあるサンプル画像をもとに、撮影時にサンプル画像と同じ撮影条件で、しかも、液晶パネルにサンプル画像を表示させながら撮影できるとともに、サンプル画像と同じディレクトリに保存できるというデジカメは無かった。
【０００６】
このため、被写体を調べることが可能でありながら、いざ撮影となった場合、撮影条件もサンプル画像と同条件にカメラが自動設定することで子供や初心者でも簡単にプロが作ったサンプルと同じレベルの撮影ができ、しかも画像の整理ができているというデジカメならではの楽しみ方ができなかった。
【０００７】
そこで、本出願に係る発明の第１の目的は、撮影の際に液晶パネルに保存先のディレクトリを表示して、保存先を確認しながら撮影できる撮像装置の提供である。
【０００８】
本出願に係る発明の第２の目的は、被写体を調べることが可能でありながら、いざ撮影となった場合、撮影条件もサンプル画像と同条件にカメラが自動設定することで子供や初心者でも簡単にプロが作ったサンプルと同じレベルの撮影ができ、しかも画像の整理ができる撮像装置の提供である。
【０００９】
【課題を解決するための手段】
このため、本発明においては、下記の各項（１）〜（４）のいずれかに示す撮像装置を提供することにより、前記目的を達成しようとする物である。
【００１０】
本発明の撮像装置は、撮像手段と、表示手段と、不揮発性メモリと、記録媒体に記録する記録手段とを有する撮像装置において、前記不揮発性メモリもしくは前記記録媒体に、予めサンプル画像と前記サンプル画像に関連づけるためのテーブルを保存することで、再生時には前記不揮発性メモリもしくは前記記録媒体のサンプル画像を前記表示手段に表示するとともに、撮影時に前記サンプル画像と関連付けて、撮影した画像を保存できることを特徴とする。
【００１１】
また、再生時に前記表示手段に表示したサンプル画像が、撮影時に前記表示手段の一部に表示されることを特徴とする。
【００１２】
また、再生時に前記表示手段に表示したサンプル画像が、撮影時に前記表示手段の一部に表示されるとともに、前記サンプル画像と関連付けられている撮影条件に合わせて自動的に撮影条件を変更することを特徴とする。
【００１３】
また、前記サンプル画像と前記テーブルの保存先である前記不揮発性メモリまたは前記記録媒体に対して、どちらを優先してアクセスするか優先選択設定可能であることを特徴とする。
【００１４】
前記構成により、撮影の際に液晶パネルに保存先のディレクトリを表示して、保存先を確認しながら撮影できる撮像装置の提供を可能にする。さらに、被写体を調べることが可能でありながら、いざ撮影となった場合、撮影条件もサンプル画像と同条件にカメラが自動設定することで、子供や初心者でも簡単にプロが作ったサンプルと同じレベルの撮影ができ、しかも画像の整理ができる撮像装置の提供を可能にする。
【００１５】
【発明の実施の形態】
以下、図面および実施例を用いて本発明の実施の形態について説明する。
図１は本実施の形態の一例を示す概略斜視図あり、１は内部に不図示のＣＣＤ、信号処理基板、電源基板、電池、及び撮影した画像を記録媒体に記録する記録手段を備えたデジカメ本体、２は撮影レンズ、３は光学ファインダー、４はシャッターボタン、５はデジカメ１の背面に具備された表示手段であるところの液晶パネル、６はデジカメ１の内部に設けられた不図示の記録手段に収められた着脱可能な記録媒体であり、本実施の形態ではコンパクトフラッシュ（Ｒ）カード（以下「ＣＦカード」と呼ぶ）である。
【００１６】
７は前記ＣＦカード保護のために、デジカメ１の側面に不図示の軸で回動自在に設けられたＣＦカバー、８はデジカメ１の背面に設けられた操作ＳＷ、９は本カメラのモードを切り替えるモードダイヤル、１０は詳細を後述するサンプル画像参照モード用の切り替えＳＷである。
【００１７】
図２は再生、撮影時に液晶パネルに表示される画像を説明するための表示説明図であり、１１は再生時に表示されるＣＦカードに保存されていた画像、１２は撮影時、撮影レンズ２を通過して液晶パネルに表示されている被写体画像、１３は再生時に表示されていた画像１１が撮影時にも表示されている画像である。
【００１８】
図３は撮影画像の保存を説明するための保存概念図であり、１４〜１６は撮影された画像である。
図４は本実施例の構成を示すブロック図である。
図５はカメラに設けられた不揮発性メモリもしくは記録媒体に予め保存されるテーブルＴ１であり、サンプル画像に対してディレクトリ名、タイトル、説明文、及び撮影条件などのファイルが関連付けられている。
【００１９】
図６は本実施の形態例の再生モードを説明するフローチャートである。
図７は本実施例の撮影モードを説明するフローチャートである。
図８は再生モードの表示例の一例である。
【００２０】
上述の構成において、ＣＦカード６に、例えば、昆虫図鑑に記載されている内容と同じ物で、しかもプロの撮影者によって撮影された画像と、前記画像にディレクトリ名やテキストデータを関連付けるためのテーブルが予め保存され、図鑑的なＣＦになっているものとする。
【００２１】
さらに、デジカメ１が先ずＣＦカード６にアクセスする設定になっているものとする。この状態で、操作者が例えば、野山に出かけていき何かの蝶を見つけた場合、先ず、デジカメ１に設けられたモードダイヤル９を回して再生モードにした後、切り替えＳＷ１０を押してサンプル画像参照モードにする。
【００２２】
すると、ＣＦカード６に保存されているサンプル画像が液晶パネル５に表示される。操作者は操作ＳＷ８で保存されているサンプル画像を送ったり、戻したりして、被写体である蝶と同じサンプル画像があるかを見比べる。まさに、図鑑で被写体の蝶を調べることと同じことができる。
【００２３】
次に、図２で、前述のように再生モードで画像１１を液晶パネルに出して、例えば、被写体の蝶がサンプル画像の中から選び出した紋白蝶であると判別でき、さらに、これを撮影したいと思った場合、デジカメ１に設けられたモードダイヤル９を回して撮影モードに切り替える。
【００２４】
すると、図２の撮影モードのように液晶パネル中に２枚の画像が表示される。１枚は撮影レンズ２を通過して液晶パネルに表示されている被写体画像１２であり、もう１枚は先程の再生時に表示されていた画像１１が液晶パネルに子画面として表示されている画像１３である。
【００２５】
この状態で、撮影をすると図３のように画像１１の下に撮影した画像が１４〜１６のように保存される。つまり、撮影時に保存先のディレクトリが子画面で表示されるので、操作者は保存先を確認しながら撮影することができるので、撮影しながら画像の整理が行える。
【００２６】
さらに、本実施の形態ではサンプル画像には、プロが撮影したときの撮影条件のファイルがテーブルによって関連付けられており、図２の撮影モードのように、サンプル画像を子画面に表示すると自動的にデジカメ１はサンプル画像の撮影条件に変更する。例えば、紋白蝶の撮影であれば、マクロ撮影、ストロボ発光禁止、被写体が動体なのでシャッター速度を速めにする。さらには、画角をサンプル画像と同じとなるようにズームレンズを移動させるなどである。
【００２７】
本実施の形態では、前述のように切り替えＳＷ１０を押すことでサンプル画像参照モードに切り替えたが、逆にサンプル画像参照モードとなっている再生モード時に切り替えＳＷ１０を押すと、ＣＦカード６にアクセスしてサンプルではない他の画像を表示する。
【００２８】
サンプル画像参照モードとなっている撮影モード時に切り替えＳＷ１０を押すと、液晶パネル上の子画面が消えて被写体画像１２だけが表示され、撮影後は通常のディレクトリに保存されるので、蝶を撮影しているときに急に人物を撮影したいときには切り替えＳＷ１０を押してカメラを人物に向け撮影することができる。
【００２９】
このようにして、被写体を調べることが可能でありながら、いざ撮影となった場合、撮影条件もサンプル画像と同条件にカメラが自動設定することで子供や初心者でも簡単にプロが作ったサンプルと同じレベルの撮影ができ、しかも、画像の整理ができているという新しいデジカメの楽しみ方が実現できた。
【００３０】
次に、図４のブロック図で本実施の形態例の構成を説明する。
図４において、１００は撮像装置である。２は撮影レンズ、１６は絞り機能を備えるシャッター、１７は光学像を電気信号に変換する撮像素子、１８は撮像素子１７のアナログ信号出力をディジタル信号に変換するＡ／Ｄ変換器である。
【００３１】
１９は撮像素子１７、Ａ／Ｄ変換器１８、Ｄ／Ａ変換器２６にクロック信号や制御信号を供給するタイミング発生回路であり、メモリ制御回路２２及びシステム制御回路５０により制御される。２０は画像処理回路であり、Ａ／Ｄ変換器１８からのデータ或いはメモリ制御回路２２からのデータに対して所定の画素補間処理や色変換処理を行う。
【００３２】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００３３】
さらに、画像処理回路２０においては、撮像した画像データを用いて所定の演算処理を行い、得られた演算結果に基づいてＴＴＬ方式のＡＷＢ（オートホワイトバランス）処理も行っている。２２はメモリ制御回路であり、Ａ／Ｄ変換器１８、タイミング発生回路１９、画像処理回路２０、画像表示メモリ２４、Ｄ／Ａ変換器２６、メモリ３０、圧縮・伸長回路３２を制御する。
【００３４】
Ａ／Ｄ変換器１８のデータが画像処理回路２０、メモリ制御回路２２を介して、或いはＡ／Ｄ変換器１８のデータが直接メモリ制御回路２２を介して、画像表示メモリ２４或いはメモリ３０に書き込まれる。２４は画像表示メモリ、２６はＤ／Ａ変換器、２８はＴＦＴ、ＬＣＤ等から成る画像表示部であり、画像表示メモリ２４に書き込まれた表示用の画像データはＤ／Ａ変換器２６を介して画像表示部２８により表示される。
【００３５】
画像表示部２８を用いて撮像した画像データを逐次表示することで、電子ファインダー機能を実現している。また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００３６】
３０は撮影した静止画像や動画像を格納するためのメモリであり、所定枚数の静止画像や所定時間の動画像を格納するのに十分な記憶量を備えている。
これにより、複数枚の静止画像を連続して撮影する連写撮影やパノラマ撮影の場合にも、高速かつ大量の画像書き込みをメモリ３０に対して行うことが可能となる。
【００３７】
また、メモリ３０はシステム制御回路５０の作業領域としても使用することが可能である。
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３８】
４０は絞り機能を備えるシャッター１６を制御する露光制御手段であり、フラッシュ４８と連携することによりフラッシュ調光機能も有するものである。
４２は撮影レンズ２のフォーカシングを制御する測距制御手段、４４は撮影レンズ２のズーミングを制御するズーム制御手段である。
４８はフラッシュであり、ＡＦ補助光の投光機能、フラッシュ調光機能も有する。
【００３９】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００４０】
５０は撮像装置１００全体を制御するシステム制御回路、５２はシステム制御回路５０の動作用の定数、変数、プログラム等を記憶するメモリである。
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。
【００４１】
また、表示部５４は、その一部の機能が光学ファインダー３内に設置されている。表示部５４の表示内容のうち、ＬＣＤ等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体６の着脱状態表示、通信Ｉ／Ｆ動作表示、日付け・時刻表示、等がある。
【００４２】
また、表示部５４の表示内容のうち、光学ファインダー３内に表示するものとしては、合焦表示、手振れ警告表示、フラッシュ充電表示、シャッタースピード表示、絞り値表示、露出補正表示、等がある。
【００４３】
５６は電気的に消去・記録可能な不揮発性メモリであり、例えばＥＥＰＲＯＭ等が用いられ、サンプル画像と前記サンプル画像にディレクトリ名やテキストデータを関連付けるためのテーブルを保存することも可能である。
【００４４】
６０、６２、６４、６６、６８及び７０は、システム制御回路５０の各種の動作指示を入力するための操作手段であり、スイッチやダイヤル、タッチパネル、視線検知によるポインティング、音声認識装置等の単数或いは複数の組み合わせで構成される。
【００４５】
ここで、これらの操作手段の具体的な説明を行う。
６０はモードダイヤルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００４６】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４７】
６４はシャッタースイッチＳＷ２で、不図示のシャッターボタンの操作完了でＯＮとなり、撮像素子１７から読み出した信号をＡ／Ｄ変換器１８、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体６に画像データを書き込む記録処理という一連の処理の動作開始を指示する。
【００４８】
６６は画像表示ＯＮ／ＯＦＦスイッチで、画像表示部２８のＯＮ／ＯＦＦを設定することが出来る。この機能により、光学ファインダー３を用いて撮影を行う際に、ＴＦＴ、ＬＣＤ等から成る画像表示部への電流供給を遮断することにより、省電力を図ることが可能となる。
【００４９】
６８はクイックレビューＯＮ／ＯＦＦスイッチで、撮影直後に撮影した画像データを自動再生するクイックレビュー機能を設定する。
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００５０】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５１】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５２】
９０はメモリカードやハードディスク等の記録媒体とのインタフェース、９２はメモリカードやハードディスク等の記録媒体と接続を行うコネクタ、９８はコネクタ９２に記録媒体６が装着されているか否かを検知する記録媒体着脱検知手段である。
【００５３】
３は光学ファインダーであり、画像表示部２８による電子ファインダー機能を使用すること無しに、光学ファインダーのみを用いて撮影を行うことが可能である。また、光学ファインダー３内には、表示部５４の一部の機能、例えば、合焦表示、手振れ警告表示、フラッシュ充電表示、シャッタースピード表示、絞り値表示、露出補正表示などが設置されている。
【００５４】
１１０は通信手段で、ＲＳ２３２ＣやＵＳＢ、ＩＥＥＥ１３９４、Ｐ１２８４、ＳＣＳＩ、モデム、ＬＡＮ、無線通信等の各種通信機能を有する。
１１２は通信手段１１０により撮像装置１００を他の機器と接続するコネクタ或いは無線通信の場合はアンテナである。
【００５５】
図６を用いて再生モードの動作を説明する。
モードダイヤル６０で再生モードに切り替えるとシステム制御回路５０は不揮発性メモリ５６にサンプル画像参照モードフラグがあるかどうかアクセスする（Ｓ１０１）。
【００５６】
サンプル画像参照モードフラグが設定されていれば（Ｓ１０２）、不揮発性メモリ５６に対して、サンプル画像とそのテーブルの保存先である不揮発性メモリ５６とＣＦカード６のどちらに優先してアクセスするかアクセス先の確認をする（Ｓ１０３）。
【００５７】
アクセス先の選択は操作ＳＷ８を使うことで設定可能となっている。初期設定はカメラ内部に具備されている不揮発性メモリの方がアクセス時間が短いので、こちらに設定されている。
【００５８】
アクセス先が選択可能となっている理由は、本カメラでは不揮発性メモリ５６とＣＦカード６両方でサンプル画像とそのテーブルが保存できるため、どちらを優先してアクセスするかを操作者が決められることで、使い勝手を向上させている。
【００５９】
例えば、ある操作者が図鑑的にデジカメを使用し山によく行くとした場合、山にいる生物用のデータを不揮発性メモリ５６に保存しておきながら、海の生き物用のデータをテンポラリーでＣＦカード６に保存しておけば、自身が行った先でアクセス先を変更できるのでわかりやすく使いやすいカメラとなっている。
【００６０】
次に、指定されたアクセス先に図５のテーブルＴ１があるかどうかアクセスする（Ｓ１０４）。指定されたアクセス先にテーブルＴ１が無ければ（Ｓ１０５）、指定されていない方にアクセスする（Ｓ１０６）。
【００６１】
これは、前述の両方にデータを保存している場合ではなくどちらかに保存しているときに、データが最初のアクセス先に無ければ次に自動的にアクセスすることでいちいち操作者がアクセスし直さない分、軽快な操作感が得られる。
【００６２】
次のアクセス先でもテーブルＴ１が無ければ（Ｓ１０７）、不揮発性メモリ５６に保存されている「画像がありません」という表示データをメモリ制御部２２，Ｄ／Ａ変換器２６を介して画像表示部２８に表示し（Ｓ１０８）、Ｓ１１２へ進む。次のアクセス先でテーブルＴ１が有れば（Ｓ１０７）、Ｓ１０９へ進む。指定されたアクセス先にテーブルＴ１が有る場合も（Ｓ１０５）、Ｓ１０９へ進む。
【００６３】
Ｓ１０９ではシステム制御回路５０にテーブルＴ１をロードし、ＩＤ０番の画像と本実施例であれば前記画像にタイトル表示用のmonshiro.txtや説明文用のdetail＿cho.txtが関連付けられているので、これを圧縮伸長回路２２、メモリ制御部２２、Ｄ／Ａ変換器２６を介して画像表示部２８に表示する。
【００６４】
この後、不揮発性メモリ５６にＩＤ０番が表示選択されたことを示す選択フラグを設定する（Ｓ１１０）。選択フラグはサンプル画像が選び直されるたびに、選ばれた画像に設定変更される。
【００６５】
選択フラグを設定することで、詳細は後述するが撮影モード時にシステム制御回路５０が不揮発性メモリ５６にアクセスして選択フラグを確認し、テーブルＴ１のフラグ設定されているＩＤのサンプル画像を画像表示部２８の一部に子画面として表示することができると共に、保存先のディレクトリを決めることができる。
【００６６】
次に、操作ＳＷ８が押されたか判別し（Ｓ１１１）、もし、押されていれば各ＳＷに割り振られた動作をして（Ｓ１１２）、Ｓ１０９へ戻る。例えば、本実施例では画像の表示は図２の画像１１のようにサンプル画像とそのタイトルを表示する設定なっているが、ここで操作ＳＷ８の一つに割り振られている情報表示ボタンを押すと、図８のように画像が縮小されテーブルＴ１で関連付けされている説明文が表示される。
【００６７】
まさにこれは、図鑑で対象物の画像を見つけた後にさらに詳細な説明文を読むのと同じ行為がデジカメでも可能となったのである。さらには、操作ＳＷ８には画像の送り／戻し機能が割り振られているので、テーブル１にあるＩＤ１番、２番を順次表示していくことが可能である。テーブル１にはＩＤ２番までしか表示されていないが、もちろんこれを増やしたり減らしたりすることに何ら問題は無い。
【００６８】
操作ＳＷ８が押されていないときは（Ｓ１１１）、切り替えＳＷ１０が押されたか判別をして押された場合は（Ｓ１１３）、サンプル画像参照モードフラグを解除し（Ｓ１１４）、Ｓ１０１へ戻る。切り替えＳＷ１０が押されていない場合は（Ｓ１１３）、モードダイヤルの設定を見に行く。
【００６９】
サンプル画像参照モードフラグが設定されていなければ（Ｓ１０２）、通常再生モードとして記録媒体であるＣＦカード６にアクセスする（Ｓ１１５）。ＣＦカード６に記録画像が無ければ（Ｓ１１６）、不揮発性メモリ５６に保存されている「画像がありません」という表示データをメモリ制御部２２，Ｄ／Ａ変換器２６を介して画像表示部２８に表示し（Ｓ１１７）、Ｓ１２１へ進む。
【００７０】
ＣＦカード６に記録画像が有れば（Ｓ１１６）、圧縮伸長回路３２、メモリ制御部２２、Ｄ／Ａ変換器２６を介して画像表示部２８に表示する（Ｓ１１８）。
【００７１】
次に、操作ＳＷ８が押されたか判別し（Ｓ１１９）、もし、押されていれば各ＳＷに割り振られた動作をして（Ｓ１２０）、Ｓ１１８へ戻る。操作ＳＷ８が押されていないときは（Ｓ１１９）、切り替えＳＷ１０が押されたか判別をして押された場合は（Ｓ１２１）、サンプル画像参照モードフラグを設定し（Ｓ１２２）、Ｓ１０１へ戻る。切り替えＳＷ１０が押されていない場合は（Ｓ１２１）、モードダイヤルの設定を見に行く。
【００７２】
次に図７を用いて撮影モードの動作を説明する。
モードダイヤル６０で撮影モードに切り替えるとシステム制御回路５０は不揮発性メモリ５６にサンプル画像参照モードフラグがあるかどうかアクセスする（Ｓ２０１）。
【００７３】
サンプル画像参照モードフラグが設定されていれば（Ｓ２０２）、不揮発性メモリ５６に対して、サンプル画像とそのテーブルの保存先である不揮発性メモリ５６とＣＦカード６のどちらに優先してアクセスするかアクセス先の確認をする（Ｓ２０３）。
【００７４】
アクセス先の選択は操作ＳＷ８を使うことで設定可能となっている。初期設定はカメラ内部に具備されている不揮発性メモリの方が、アクセス時間が短いのでこちらに設定されている。
【００７５】
次に、指定されたアクセス先に図５のテーブルＴ１があるかどうかアクセスする（Ｓ２０４）。指定されたアクセス先にテーブルＴ１が無ければ（Ｓ２０５）、指定されていない方にアクセスする（Ｓ２０６）。
【００７６】
次のアクセス先でもテーブルＴ１が無ければ（Ｓ２０７）、不揮発性メモリ５６に保存されている「サンプル画像がありません」という表示データをメモリ制御部２２、Ｄ／Ａ変換器２６を介して画像表示部２８に表示し（Ｓ２０８）、Ｓ２２２へ進む。次のアクセス先でテーブルＴ１が有れば（Ｓ２０７）、Ｓ２０９へ進む。
【００７７】
指定されたアクセス先にテーブルＴ１が有る場合も（Ｓ２０５）、Ｓ２０９へ進む。Ｓ２０９ではシステム制御回路５０にテーブルＴ１をロードし、再生モードで説明した選択フラグが設定されているか確認する。
【００７８】
選択フラグが無ければ（Ｓ２０９）、テーブルＴ１のＩＤ０番の画像を圧縮伸長回路３２、メモリ制御部２２、Ｄ／Ａ変換器２６を介して画像表示部２８の一部に子画面として表示し（Ｓ２１０）、Ｓ２１２へ進む。
【００７９】
選択フラグが有れば（Ｓ２０９）、フラグ設定された画像を圧縮伸長回路３２、メモリ制御部２２、Ｄ／Ａ変換器２６を介して画像表示部２８の一部に子画面として表示し（Ｓ２１１）、Ｓ２１２へ進む。
【００８０】
Ｓ２１１によって再生モードで最後に表示した画像が自動的に撮影時では子画面に表示されるので、例えば、図鑑的使用の場合、操作者は被写体を再生モードで表示したサンプル画像で何であるかが分かり、そのまま撮影モードにするだけで子画面にサンプル画像が表示されているので、これから撮影する被写体とサンプル画像を見比べ、確認することが出来る。
【００８１】
Ｓ２１２では、テーブルＴ１で関連付けられたディレクトリをこれから撮影する画像の保存先として設定する。本実施の形態では、撮影した画像は図３のようにサンプルの画像が保存されているディレクトリに保存されるが、保存先はテーブルで関連付けされているので、サンプル画像とは別のディレクトリを新保存先に指定することも可能である。
【００８２】
この後、テーブルＴ１で画像に関連付けられている撮影条件cond＿cho1.txtに基づいてシステム制御回路５０が撮像装置１００の露光制御手段４０、測距離制御手段４２、ズーム制御手段４４、フラッシュ４８などを制御し撮影条件を変更する（Ｓ２１３）。予め用意されている撮影条件はその被写体を撮影する際の推奨最適値になっているので初心者や子供でも簡単に失敗無く綺麗な画像が撮影できることとなる。
【００８３】
画像表示部２８には子画面の他に撮像した画像データが逐次表示されている（Ｓ２１４）。このスルー表示状態においては撮像素子１７、Ａ／Ｄ変換器１８、画像処理回路２０、メモリ制御回路２２を介して画像表示メモリ２４に逐次書き込まれたデータを、メモリ制御回路２２、Ｄ／Ａ変換器２６を介して画像表示部２８に逐次表示することにより、電子ファインダー機能を実現しているので、撮影したい被写体がサンプル画像と一致しているか確認することができる。
【００８４】
ここで、例えば、被写体がサンプル画像と違う場合は操作ＳＷ８を押して（Ｓ２１５）サンプル画像を送ったり戻したりして（Ｓ２１６）、Ｓ２０９に戻る。サンプル画像の送り戻しにより選択フラグの設定も変わり、システム制御回路５０はフラグを確認して（Ｓ２０９）子画面にフラグの付いた画像を表示する（Ｓ２１１）。
【００８５】
もし、操作ＳＷ８が押されていなければ（Ｓ２１５）、切り替えＳＷ１０が押されたか判別をして押された場合は（Ｓ２１７）、サンプル画像参照モードフラグを解除し（Ｓ２１８）、Ｓ２０１へ戻る。このルーチンは、例えば、被写体の紋白蝶を撮影しようとしているときに急に人物などを撮影する通常撮影に変更したいときに使用するルーチンである。
【００８６】
切り替えＳＷ１０が押されていない場合は（Ｓ２１７）、シャッターボタンが押されたか判別し（Ｓ２１９）、押されなければＳ２１５へ戻る。シャッターボタンが押されれば（Ｓ２１９）、テーブルＴ１で設定された撮影条件で撮影しメモリ３０に撮影画像データを書き込む（Ｓ２２０）。
【００８７】
システム制御回路５０はメモリ３０に書き込まれた撮影画像データを読み出して、メモリ制御部２２そして必要に応じて画像処理回路２０を用いて各種画像処理を、また、圧縮伸長回路３２を用いて設定したモードに応じた画像圧縮処理を行った後、ＣＦカード６のテーブルＴ１で関連付けられているディレクトリに画像データの書き込みを行うための記録処理を実行する（Ｓ２２１）。
【００８８】
つまり、本実施例では液晶表示部２８の子画面に表示した画像と同じディレクトリに撮影画像が記録されるので、撮影と同時に画像の整理が行えていることになる。
【００８９】
次に、切り替えＳＷ１０が押されたか判別をして押された場合は（Ｓ２２２）、サンプル画像参照モードフラグを解除し（Ｓ２１８）、Ｓ２０１へ戻る。切り替えＳＷ１０が押されていない場合は（Ｓ２２２）、モードダイヤルの設定を見に行く。
【００９０】
サンプル画像参照モードフラグが設定されていなければ（Ｓ２０２）、システム制御回路５０は不揮発性メモリ５６に画像表示ＯＮ／ＯＦＦフラグを見に行きフラグが無ければ（Ｓ２２３）、画像表示をＯＦＦにして（Ｓ２２４）、Ｓ２２６へ進む。
【００９１】
この状態が省電力を目的として光学ファインダーを使用した撮影状態である。不揮発性メモリ５６に画像表示ON/OFFフラグが有れば（Ｓ２２３）、画像表示部２８にスルー表示する（Ｓ２２５）。
ここで、操作者が別の操作を希望して操作ＳＷ８を押すと（Ｓ２２６）、選択したボタンに応じて処理を実行し（Ｓ２２７）、Ｓ２２６へ戻る。
【００９２】
もし、操作ＳＷ８が押されていなければ（Ｓ２２６）、切り替えＳＷ１０が押されたか判別をして押された場合は（Ｓ２２８）、サンプル画像参照モードフラグを設定し（Ｓ２２９）、Ｓ２０１へ戻る。このルーチンは、例えば、人物を撮影しようとしているときに急に紋白蝶などサンプル画像参照モードで撮影したいときに使用するルーチンである。
【００９３】
切り替えＳＷ１０が押されていない場合は（Ｓ２２８）、シャッターボタンが押されたか判別し（Ｓ２３０）、押されなければＳ２２６へ戻る。シャッターボタンが押されれば（Ｓ２３０）、所定の撮影条件で撮影しメモリ３０に撮影画像データを書き込む（Ｓ２３１）。
【００９４】
システム制御回路５０はメモリ３０に書き込まれた撮影画像データを読み出して、メモリ制御部２２そして必要に応じて画像処理回路２０を用いて各種画像処理を、また、圧縮伸長回路３２を用いて設定したモードに応じた画像圧縮処理を行った後、ＣＦカード６のサンプル画像とは違う新規ディレクトリへ画像データの書き込みを行う記録処理を実行する（Ｓ２３２）。
【００９５】
次に、切り替えＳＷ１０が押されたか判別をして押された場合は（Ｓ２３３）、サンプル画像参照モードフラグを設定し（Ｓ２２９）、Ｓ２０１へ戻る。切り替えＳＷ１０が押されていない場合は（Ｓ２３３）、モードダイヤルの設定を見に行く。
【００９６】
以上本発明の本実施の形態の説明を行ったが、テーブルＴ１中撮影条件は一つしかないがこれを操作者がカスタマイズして撮影条件２、３と複数個持つことはなんら問題ない。また、表示部に子画面が一つしか表示できないわけではなく、前述の複数個の撮影条件を子画面として表示し、操作者に選択可能に提供することも技術的になんら問題はない。
【００９７】
本実施の形態ではテーブルＴ１に保存先のディレクトリを記載してサンプル画像と関連付けしたが、テーブルＴ１で記載せずに例えばカメラ本体に新規ディレクトリ作成ボタンを設けることで、サンプル画像を子画面に表示しながら前記作成ボタンを押すと、撮影した画像はサンプル画像と関連付けられた新規ディレクトリに保存されるということも可能である。
【００９８】
つまり、サンプル画像に関連付けられたディレクトリの作成方法を本実施例で限定するものではなく、サンプル画像に関連付けてディレクトリを作成することが発明の主旨である。
【００９９】
【発明の効果】
以上説明したように、撮影の際に液晶パネルに保存先のディレクトリを表示するので、保存先を確認しながら撮影できる撮像装置が提供できた。さらに、予め記録媒体に保存してあるサンプル画像をもとに、撮影時にサンプル画像と同じ撮影条件で、しかも、液晶パネルにサンプル画像を表示させながら撮影できるとともに、サンプル画像と同じディレクトリに保存できる撮像装置が提供できたので、例えば、図鑑ＣＦを使って、調べて確認し、撮影はプロの撮影条件を自動で設定してくれるので初心者でも簡単に撮影できるという新しいデジカメの楽しみ方が実現できた。
【図面の簡単な説明】
【図１】本発明の実施の形態の一例を説明するための撮像装置の概略斜視図である。
【図２】本発明の実施の形態例の表示説明図である。
【図３】本発明の実施の形態例の保存概念図である。
【図４】本発明の実施の形態例の構成を示すブロック図である。
【図５】本発明の実施の形態例で用意されるテーブル説明図である。
【図６】本発明の実施の形態例の再生モードを説明するフローチャートである。
【図７】本発明の実施の形態例の撮影モードを説明するフローチャートである。
【図８】本発明の実施の形態例の再生モード表示例を説明する図である。
【符号の説明】
１  デジカメ
２  撮影レンズ
３  光学ファインダー
４  シャッターボタン
５  液晶パネル
６  ＣＦカード
７  ＣＦカバー
８  操作ＳＷ
９  モードダイヤル
１０  切り替えＳＷ
１１〜１６  画像
【図１】
2004193981.tif 000003
【図２】
2004193981.tif 000004
【図３】
2004193981.tif 000005
【図４】
2004193981.tif 000006
【図５】
2004193981.tif 000007
【図６】
2004193981.tif 000008
【図７】
2004193981.tif 000009
【図８】
2004193981.tif 000010